(57)【要約】【課題】吊橋又は斜張橋の主塔又は橋脚の補修作業で、高層で風の影響の強い場所でも足場を設置して作業を行うことができる主塔改修工事に用いる移動昇降式足場及び当該移動昇降式足場を用いた主塔改修工事における構造物の補修施工方法を提供する。【解決手段】吊橋１又は斜張橋の主塔２又は橋脚の上端から下端に掛けて法面２ａに沿って設置されるガイドマスト２０と、ガイドマスト２０に設置されて、ガイドマスト２０に沿って昇降移動する駆動部３０と、駆動部３０に水平状態で設置された作業用デッキ４０と、を有する移動昇降式足場１０とした。【選択図】図１
2019196621.tif 000002
【特許請求の範囲】
【請求項１】
吊橋又は斜張橋の主塔又は橋脚の上端から下端に掛けて法面に沿って設置されるガイドマストと、
前記ガイドマストに設置されて、該ガイドマストに沿って昇降移動する駆動部と、
該駆動部に水平状態で設置された作業用デッキと、
を有することを特徴とする主塔改修工事に用いる移動昇降式足場。
【請求項２】
前記駆動部は、前記ガイドマストに沿って上下に並んで昇降移動するように複数設けられており、
該複数の駆動部にそれぞれ水平状態で設置される前記作業用デッキが設けられており、
前記駆動部が独自に前記ガイドマストに沿って昇降移動されるように構成されていることを特徴とする請求項１に記載の主塔改修工事に用いる移動昇降式足場。
【請求項３】
前記ガイドマストには、前記主塔又は前記橋脚に予め設けられたボルトを用いて、前記主塔又は前記橋脚に接続する壁つなぎ部を有することを特徴とする請求項１又は２に記載の主塔改修工事に用いる移動昇降式足場。
【請求項４】
前記駆動部及び前記作業用デッキが、前記ガイドマストに対して側部から着脱するように構成されたことを特徴とする請求項１乃至３の何れかに記載の主塔改修工事に用いる移動昇降式足場。
【請求項５】
前記作業用デッキには、前記ガイドマストが入り込む凹部を有しており、
該凹部に前記ガイドマストが入り込むように、側部から前記駆動部及び前記作業用デッキを装着するように構成されたことを特徴とする請求項４に記載の主塔改修工事に用いる移動昇降式足場。
【請求項６】
前記作業用デッキには、前記ガイドマストに対して側部から脱着する際に、前記ガイドマストに当接して回動して、前記作業用デッキの横方向の移動をガイドするガイドローラを有していることを特徴とする請求項４又は５に記載の主塔改修工事に用いる移動昇降式足場。
【請求項７】
前記作業用デッキは、前記駆動部に設置された固定デッキと、該固定デッキに対してスライド移動するスライドデッキと、前記固定デッキに対して垂直方向を軸として回動する回動デッキとを有することを特徴とする請求項１乃至６の何れかに記載の主塔改修工事に用いる移動昇降式足場。
【請求項８】
前記作業用デッキは、前記駆動部に設置された固定デッキと、該固定デッキに対してスライド移動するスライドデッキと、該スライドデッキに対して垂直方向を軸として回動する回動デッキとを有することを特徴とする請求項１乃至６の何れかに記載の主塔改修工事に用いる移動昇降式足場。
【請求項９】
前記作業用デッキは、前記駆動部に設置された固定デッキと、該固定デッキに対して垂直方向を軸として回動する回動デッキと、該回動デッキに対してスライド移動するスライドデッキとを有することを特徴とする請求項１乃至６の何れかに記載の主塔改修工事に用いる移動昇降式足場。
【請求項１０】
前記作業用デッキには、側面及び天面を覆う飛散防止養生部材が設けられており、
該飛散防止養生部材は、本体部と、該本体部の前記主塔又は前記橋脚側に設けられて前記主塔又は前記橋脚に当接及び離間するように構成された伸縮部とを有することを特徴とする請求項１乃至９の何れかに記載の主塔改修工事に用いる移動昇降式足場。
【請求項１１】
前記伸縮部の端部には、前記主塔又は前記橋脚に磁着するマグネットが設けられていることを特徴とする請求項１０に記載の主塔改修工事に用いる移動昇降式足場。
【請求項１２】
前記本体部の一部にはファスナーを有しており、該ファスナーで内部空間を開放するように構成されていることを特徴とする請求項１０又は１１に記載の主塔改修工事に用いる移動昇降式足場。
【請求項１３】
請求項２に記載の移動昇降式足場を用いた主塔改修工事における構造物の補修施工方法であって、
補修作業は、複数の工程を有し、かつ、ガイドマストに沿って上端から下方に向けて行うようになっており、
第１の工程は作業用デッキのうちの最も下側のものを用いて行い、
次の工程は前記作業用デッキのうちの上側のものを上方から下降させて、前記第１の工程を行った箇所に対して用いて行うようにしたことを特徴とする主塔改修工事における移動昇降式足場を用いた構造物の補修施工方法。
【発明の詳細な説明】
【技術分野】
【０００１】
この発明は、主塔改修工事に用いる移動昇降式足場及び当該移動昇降式足場を用いた主塔改修工事における構造物の補修施工方法に関するものである。
【背景技術】
【０００２】
従来、吊橋又は斜張橋の主塔又は橋脚等は、老朽化が進むに連れて補修作業が必要となる。そのような場合、高所での補修作業を行うための足場を設置する必要がある。ところで、足場としては、最下部から組んで設置するものや、特許文献１のような上方からクレーン等で下ろしていくものが知られている。
【先行技術文献】
【特許文献】
【０００３】
【特許文献１】特開２０１７−１１５５６９号公報
【発明の概要】
【発明が解決しようとする課題】
【０００４】
しかしながら、吊橋又は斜張橋の主塔又は橋脚の補修作業を行う場合、特に大型の吊橋又は斜張橋の主塔又は橋脚で高層となる箇所に対する足場としては、設置強度や風の影響により、下方から組み上げる足場も、上からクレーンで下ろす足場も使用できないこともあり、問題となっていた。
【０００５】
そこで、この発明は、吊橋又は斜張橋の主塔又は橋脚の補修作業で、高層で風の影響の強い場所でも足場を設置して作業を行うことができる主塔改修工事に用いる移動昇降式足場及び当該移動昇降式足場を用いた主塔改修工事における構造物の補修施工方法を提供することを課題としている。
【課題を解決するための手段】
【０００６】
かかる課題を達成するために、請求項１に記載の発明は、吊橋又は斜張橋の主塔又は橋脚の上端から下端に掛けて法面に沿って設置されるガイドマストと、前記ガイドマストに設置されて、該ガイドマストに沿って昇降移動する駆動部と、該駆動部に水平状態で設置された作業用デッキと、を有する主塔改修工事に用いる移動昇降式足場としたことを特徴とする。
【０００７】
また、請求項２に記載の発明は、請求項１に記載の構成に加え、前記駆動部は、前記ガイドマストに沿って上下に並んで昇降移動するように複数設けられており、該複数の駆動部にそれぞれ水平状態で設置される前記作業用デッキが設けられており、前記駆動部が独自に前記ガイドマストに沿って昇降移動されるように構成されている主塔改修工事に用いる移動昇降式足場としたことを特徴する。
【０００８】
また、請求項３に記載の発明は、請求項１又は２に記載の構成に加え、前記ガイドマストには、前記主塔又は前記橋脚に予め設けられたボルトを用いて、前記主塔又は前記橋脚に接続する壁つなぎ部を有する主塔改修工事に用いる移動昇降式足場としたことを特徴する。
【０００９】
また、請求項４に記載の発明は、請求項１乃至３の何れかに記載の構成に加え、前記駆動部及び前記作業用デッキが、前記ガイドマストに対して側部から着脱するように構成された主塔改修工事に用いる移動昇降式足場としたことを特徴とする。
【００１０】
また、請求項５に記載の発明は、請求項４に記載の構成に加え、前記作業用デッキには、前記ガイドマストが入り込む凹部を有しており、該凹部に前記ガイドマストが入り込むように、側部から前記駆動部及び前記作業用デッキを装着するように構成された主塔改修工事に用いる移動昇降式足場としたことを特徴とする。
【００１１】
また、請求項６に記載の発明は、請求項４又は５に記載の構成に加え、前記作業用デッキには、前記ガイドマストに対して側部から脱着する際に、前記ガイドマストに当接して回動して、前記作業用デッキの横方向の移動をガイドするガイドローラを有している主塔改修工事に用いる移動昇降式足場としたことを特徴とする。
【００１２】
また、請求項７に記載の発明は、請求項１乃至６の何れかに記載の構成に加え、前記作業用デッキは、前記駆動部に設置された固定デッキと、該固定デッキに対してスライド移動するスライドデッキと、前記固定デッキに対して垂直方向を軸として回動する回動デッキとを有する主塔改修工事に用いる移動昇降式足場としたことを特徴とする。
【００１３】
また、請求項８に記載の発明は、請求項１乃至６の何れかに記載の構成に加え、前記作業用デッキは、前記駆動部に設置された固定デッキと、該固定デッキに対してスライド移動するスライドデッキと、該スライドデッキに対して垂直方向を軸として回動する回動デッキとを有する主塔改修工事に用いる移動昇降式足場としたことを特徴とする。
【００１４】
また、請求項９に記載の発明は、請求項１乃至６の何れかに記載の構成に加え、前記作業用デッキは、前記駆動部に設置された固定デッキと、該固定デッキに対して垂直方向を軸として回動する回動デッキと、該回動デッキに対してスライド移動するスライドデッキとを有する主塔改修工事に用いる移動昇降式足場としたことを特徴とする。
【００１５】
また、請求項１０に記載の発明は、請求項１乃至９の何れかに記載の構成に加え、前記作業用デッキには、側面及び天面を覆う飛散防止養生部材が設けられており、該飛散防止養生部材は、本体部と、該本体部の前記主塔又は前記橋脚側に設けられて前記主塔又は前記橋脚に当接及び離間するように構成された伸縮部とを有する主塔改修工事に用いる移動昇降式足場としたことを特徴とする。
【００１６】
また、請求項１１に記載の発明は、請求項１０に記載の構成に加え、前記伸縮部の端部には、前記主塔又は前記橋脚に磁着するマグネットが設けられている主塔改修工事に用いる移動昇降式足場としたことを特徴とする。
【００１７】
また、請求項１２に記載の発明は、請求項１０又は１１に記載の構成に加え、前記本体部の一部にはファスナーを有しており、該ファスナーで内部空間を開放するように構成されている主塔改修工事に用いる移動昇降式足場としたことを特徴とする。
【００１８】
また、請求項１３に記載の発明は、請求項２に記載の移動昇降式足場を用いた主塔改修工事における構造物の補修施工方法であって、補修作業は、複数の工程を有し、かつ、ガイドマストに沿って上端から下方に向けて行うようになっており、第１の工程は作業用デッキのうちの最も下側のものを用いて行い、次の工程は前記作業用デッキのうちの上側のものを上方から下降させて、前記第１の工程を行った箇所に対して用いて行うようにした主塔改修工事における移動昇降式足場を用いた構造物の補修施工方法としたことを特徴する。
【発明の効果】
【００１９】
請求項１に記載の発明によれば、主塔又は橋脚の法面に沿ってガイドマストを設置し、そのガイドマストに沿って作業用デッキが昇降移動するように構成したことで、主塔又は橋脚の上端から下端までを安定して設置された作業用デッキで移動して作業を行うことができ、主塔又は橋脚の補修作業で、高層で風の影響の強い場所でも足場を設置して作業を行うことができる。
【００２０】
また、請求項２に記載の発明によれば、駆動部及び作業用デッキが上下に並んでおり、かつ、それぞれが独自に移動することができるため、より効率良く作業を行うことができる。
【００２１】
また、請求項３に記載の発明によれば、主塔又は橋脚に予め設けられたボルトに対して壁つなぎ部を接続してガイドマストを主塔又は橋脚に固定することができるため、既存の構成を利用して確実にガイドマストの固定を行うことができる。
【００２２】
また、請求項４に記載の発明によれば、駆動部と作業用デッキをガイドマストに対して側部から着脱するようになっているため、ガイドマストを設置した後、作業用デッキをその上端まで持ち上げて装着したり、ガイドマストの設置途中で作業用デッキを装着するような不便な状態を解消することができる。また、作業用デッキを取り外して他のガイドマストに装着することもできるため、作業方法のバリエーションを増やすことができ、より効率的な作業を選択することができる。
【００２３】
また、請求項５に記載の発明によれば、作業用デッキにガイドマストが入り込む凹部があり、当該凹部を介してガイドマストに駆動部及び作業用デッキを装着することができるため、多くの面を有する部位にて安定して作業用デッキを装着することができる。
【００２４】
また、請求項６に記載の発明によれば、側部からの脱着用のガイドローラを有していることで、ガイドマストに対する作業用デッキの脱着をスムーズに行うことができる。
【００２５】
また、請求項７に記載の発明によれば、固定デッキに対してスライド移動するスライドデッキと回動する回動デッキとが設けられているため、種々のデッキ状態を形成することができる。
【００２６】
また、請求項８に記載の発明によれば、固定デッキに対してスライド移動するスライドデッキと、スライドデッキに対して回動する回動デッキとが設けられているため、種々のデッキ状態を形成することができる。
【００２７】
また、請求項９に記載の発明によれば、固定デッキに対して回動する回動デッキと、回動デッキに対してスライド移動するスライドデッキとが設けられているため、種々のデッキ状態を形成することができる。
【００２８】
また、請求項１０に記載の発明によれば、飛散防止養生部材に伸縮部を有していて、当該伸縮部で主塔又は橋脚に当接及び離間するようになっているため、簡単に飛散防止養生部材を主塔又は橋脚に取り付け、取り外しすることができる。
【００２９】
また、請求項１１に記載の発明によれば、伸縮部にマグネットが設けられているため、より簡単に主塔又は橋脚に対して当接及び離間させることができる。
【００３０】
また、請求項１２に記載の発明によれば、本体部の一部にファスナーを備えていることで、強風時にファスナーを開けて内部空間を開放させることで、飛散防止養生部材全体を取り外すことなく、強風による危険防止対策を行うことができる。
【００３１】
また、請求項１３に記載の発明によれば、複数の作業用デッキを用いて効率的に作業を行うことができる。
【図面の簡単な説明】
【００３２】
【図１】この発明の実施の形態に係る移動昇降式足場を示す斜視図である。
【図２】同実施の形態に係る移動昇降式足場を吊橋の主塔に設置した状態を示す平面図である。
【図３】同実施の形態に係る移動昇降式足場を吊橋の主塔に設置した状態を示す斜視図である。
【図４】同実施の形態に係る移動昇降式足場を吊橋の主塔に設置した状態の拡大斜視図である。
【図５】同実施の形態に係る移動昇降式足場の側部着脱箇所の拡大斜視図である。
【図６】同実施の形態に係る移動昇降式足場の回動デッキとスライドデッキを障害物を避ける状態にしたときの平面図である。
【図７】同実施の形態に係る移動昇降式足場の回動デッキとスライドデッキを障害物のない状態にしたときの平面図である。
【図８】同実施の形態の変形例に係る移動昇降式足場のスライドデッキを障害物を避ける状態にしたときの平面図である。
【図９】同実施の形態の変形例に係る移動昇降式足場のスライドデッキを障害物のない状態にしたときの平面図である。
【図１０】同実施の形態に係る移動昇降式足場のガイドマストの壁つなぎ部と主塔の状態を示す斜視図である。
【図１１】同実施の形態に係る移動昇降式足場の飛散防止養生部材を示す斜視図である。
【図１２】同実施の形態に係る移動昇降式足場の飛散防止養生部材におけるマグネットの一例を示す斜視図である。
【図１３】同実施の形態に係る移動昇降式足場の飛散防止養生部材におけるマグネットの他の例を示す斜視図である。
【図１４】同実施の形態に係る移動昇降式足場の飛散防止養生部材の動きを示す側面図である。
【発明を実施するための形態】
【００３３】
以下、この発明の実施の形態について説明する。
【００３４】
図１〜図１４には、この発明の実施の形態を示す。
【００３５】
この実施の形態では、吊橋１の主塔２の補修作業を行う際に設置する移動昇降式足場１０及び当該移動昇降式足場１０を用いて行う吊橋１の主塔２の補修施工方法について説明する。
【００３６】
この実施の形態の移動昇降式足場１０では、図１に示すように、吊橋１の主塔２の上端から下端に掛けて法面２ａに沿って、ガイドマスト２０が設置されている。この実施の形態では、図２に示すように、ガイドマスト２０を、主塔２の周囲６箇所に設置するようになっている。
【００３７】
また、図１に示すように、ガイドマスト２０にはそれぞれ、ガイドマスト２０に沿って昇降移動する駆動部３０と、駆動部３０に水平状態で設置された作業用デッキ４０とが設置されている。
【００３８】
また、図３，図４に示すように、駆動部３０は、ガイドマスト２０に沿って上下に並んで昇降移動するように複数設けられており、ここでは、上下に３層の駆動部３０が設けられている。また、その複数の駆動部３０にそれぞれ、水平状態で作業用デッキ４０が設けられて、上段デッキ４１、中段デッキ４２、下段デッキ４３を構成している。
【００３９】
すなわち、この実施の形態では、ガイドマスト６本に対して、それぞれ上下方向に３つの駆動部３０及び作業用デッキ４０を備え、合計１８の作業用デッキが左右上下に展開する状態となっている。そして、それぞれの駆動部３０が独自にガイドマスト２０に沿って昇降移動されるように構成されており、それに従って作業用デッキ４０も独自に昇降移動するように構成されている。
【００４０】
また、この実施の形態では、上段デッキ４１は塗装作業用デッキ、中段デッキ４２はブラスト作業用デッキ、下段デッキ４３はＩＨ作業用デッキとして構成されている。このうち、下段デッキ４３は、ＩＨ作業（局所的な電磁誘導加熱を使用して、塗膜のみを除去する工法）を行うデッキであり、インダクション主装置等の機材が設置されている。また、中段デッキ４２は、ブラスト作業（加工面に固体金属等の粒体からなる研磨材を高速度で吹き付けて、塗膜の除去を行う工法）を行うデッキであり、ブラスト用の機材が設置されている。また、上段デッキ４１は、塗装作業を行うデッキであり、ＩＨ作業及びブラスト作業を経て、古い塗膜が剥がされた状態の主塔に新たな塗装を施す作業を行うデッキであり、塗装作業用の機材が設置されている。このように、この実施の形態では、上下３つのデッキ４１，４２，４３それぞれが別の作業を行うような専用デッキとなっている。
【００４１】
そのため、通常は各デッキ同士を行き来する梯子や階段等は閉鎖状態として効率化を図っているが、緊急時のために階段又は梯子は使用可能となっている。緊急時には、当該梯子等を用いて下層に避難する、または下層から上層に避難して主塔頂部の主塔のエレベータで地面に降りるようになっている。
【００４２】
ガイドマスト２０には、主塔２に予め設けられたボルトＢを利用して、主塔２に接続する壁つなぎ部２１を有している。この壁つなぎ部２１は、図１０に示すように、複数本のステー２２を有しており、これらを介して主塔２に固定されている。また、主塔２は上部が下部より幅が狭くなっているため、上部から下部まで同じ壁つなぎ部２１で対応可能なように、一部に油圧で延び縮みするバックル式壁つなぎ材２３を使用している。このバックル式壁つなぎ材２３が主塔２の上部では幅の狭くなった主塔２に対して延びて取り付けられ、主塔２の下部では幅の広くなった主塔２に対して縮めて取り付けられるように構成されている。
【００４３】
また、この実施の形態では、このガイドマスト２０に対して、駆動部３０及び作業用デッキ４０が上部からでなく、側部から着脱するように構成されている。この作業用デッキ４０には、図５に示すように、ガイドマスト２０が入り込む凹部４４を有しており、この凹部４４にガイドマスト２０が入り込むように、側部から駆動部３０及び作業用デッキ４０を装着するようになっている。
【００４４】
また、この作業用デッキ４０には、ガイドマスト２０に対して側部から脱着する際に、ガイドマスト２０に当接して回動して、作業用デッキの横方向の移動をガイドするガイドローラ４５を有している。なお、横方向の移動に対するガイドローラ４５の他、装着後の上下方向の移動をガイドする縦用ガイドローラ４５ａも有している。
【００４５】
また、この作業用デッキ４０は、図６〜図７に示すように、駆動部３０に設置された固定デッキ４６と、固定デッキ４６に対して垂直方向を軸として回動する（水平面を維持して回動する）回動デッキ４７と、回動デッキ４７に対してスライド移動するスライドデッキ４８とを有する構成となっている。ここでは、固定デッキ４６に対して、９０度回動可能な回動デッキ４７と、回動デッキ４７に保持されてスライド移動するスライドデッキ４８を備えている。これにより、主塔２のうち例えば道路部、梁等の障害物の有る部分は回動デッキ４７とスライドデッキを図６のようにして移動させて障害物を避けて作業を行ったり障害物を通過させたりし、障害物がない部分では図７のように回動デッキ４７を回動させてスライドデッキ４８を延ばして、作業用デッキ４０が主塔全周を覆って作業を効率的に行うことができるようになっている。
【００４６】
なお、作業用デッキ４０は、図８〜図９に示すように、スライドデッキ４８の組合せで前記した回動デッキ４７とスライドデッキ４８の動きと同じような動きが可能な状態となっていても良い。すなわち、固定デッキ４６に対して第１スライドデッキ４９が一方向にスライド移動可能となっており、第１スライドデッキ４９に保持された第２スライドデッキ４８が第１スライドデッキ４９とは直角方向にスライド移動可能に設置されていても良い。
【００４７】
また、図１１に示すように、この作業用デッキ４０には、側面及び天面を覆うビニルやメッシュ素材等の飛散防止養生部材５０が設けられている。この飛散防止養生部材５０により、作業用デッキ４０を覆ってブラスト作業や塗装作業を行うことで、橋を使用しながら（車や電車を通過させながら）作業を行っても塗料等が飛散せず、効率良く作業を行うことができるものである。
【００４８】
この実施の形態では、図１１，図１４に示すように、飛散防止養生部材５０は、作業用デッキ４０を覆う形状及び大きさの本体部５１と、本体部５１の主塔２側に設けられて主塔２に当接及び離間するように構成された伸縮部５２とを有する構成となっている。この伸縮部５２が主塔２に当接及び離間することで、主塔と作業用デッキ４０の間の距離が変化しても確実に飛散防止養生部材５０で作業用デッキ４０を覆うことができるものである。
【００４９】
また、伸縮部５２の主塔２側の端部には、主塔２に磁着するマグネットＭが設けられている。このマグネットＭとしては、図１２に示すような、伸縮部５２の飛散防止養生シートにマグネットシートＭが貼り付けられたものが挙げられる。なお、図１３に示すように、伸縮部５２の飛散防止養生シートを主塔２に当接させた上でその上から着脱式のマグネットＭで伸縮部５２を抑えるようになっていても良い。
【００５０】
また、飛散防止養生部材５０の本体部５１の一部にはファスナー５５が設けられている。このファスナー５５を開けると、飛散防止養生部材５０の内部空間Ｎを開放できるように構成されている。これにより、例えば強風時にファスナー５５を開けて風を飛散防止養生部材５０でまともに受けてしまわないように逃がすことができる。なお、ファスナー５５は本体部５１の中央が開放されるように形成されていても良いし、側方が開放するように形成されていても良い。また、１箇所に限らず、２箇所以上にファスナー５５が設けられていて２箇所以上の開放部が形成されるようになっていても良い。
【００５１】
次に、前記した移動昇降式足場１０を用いた吊橋１の主塔２の補修施工方法について説明する。この補修作業は、複数の工程を有し、かつ、ガイドマストに沿って上端から下方に向けて行うようになっている。
【００５２】
まず、機材を上下に配置された各作業用デッキ４１〜４３に設置し、作業用デッキ４０を全て上部に配置する。
【００５３】
そして、第１の工程として、作業用デッキのうちの最も下側のもの、ここでは下段デッキ４３を用いてＩＨ作業を行い、界面接合を破壊して塗膜を剥離する。特に平面部においてＩＨ作業による塗膜除去を行う。
【００５４】
次に、上下方向の同じ箇所に対して、第２の工程を行う。そのために、中段デッキ４２を前記ＩＨ作業を行った位置まで下降させ、前記第１の工程を行った箇所に対して第２の工程としてのブラスト作業を行う。ブラスト作業では、加工面に固体金属等の粒体からなる研磨材を高速度で吹き付けて、塗膜の除去を行う。特にＩＨ作業で塗膜剥離が難しい凹凸部等に対してブラスト作業を行う。
【００５５】
次に、上下方向の同じ箇所に対して、第３の工程を行う。そのために、上段デッキ４１を前記ブラスト作業を行った位置まで下降させ、前記第２の工程を行った箇所に対して第３の工程としての塗装作業を行う。そして、ＩＨ作業とブラスト作業によって古い塗装が剥がされたところに新しい塗装を施す。ここでは複数の塗料を用いて重ね塗りをするようになっている。
【００５６】
この第１〜第３の工程を行う度に１段ずつ下方に作業用デッキを移動させ、上から順に作業用デッキを下降させる。これを主塔の上端から下端まで繰り返し行い、主塔全体の古い塗装を剥がして新しい塗装を定着させる。このように作業用デッキ４０を下降させながら順に第１〜第３の工程を繰り返すことで、効率良く作業を行うことができる。しかもこの実施の形態では、作業用デッキ４０のそれぞれが独自に駆動するようになっているため、他の作業用デッキ４０のタイミングを合わせて上下動させる必要がなく、より効率的と言える。なお、この実施の形態では作業用デッキ４０を３層（３段）構造としていたが、これに限らず、作業工程によっては２段又は４段以上となっていても良い。
【００５７】
以上のように、この実施の形態の移動昇降式足場１０によれば、吊橋１の主塔２の法面３に沿ってガイドマスト２０を設置し、そのガイドマスト２０に沿って作業用デッキ４０が昇降移動するように構成したことで、主塔２の上端から下端までを安定して設置された作業用デッキ４０で移動して作業を行うことができ、主塔２の補修作業で、高層で風の影響の強い場所でも足場を設置して作業を行うことができる。
【００５８】
また、この実施の形態の移動昇降式足場１０によれば、駆動部３０及び作業用デッキ４０が上下に並んでおり、かつ、それぞれが独自に移動することができるため、より効率良く作業を行うことができる。
【００５９】
また、この実施の形態の移動昇降式足場１０によれば、主塔２に予め設けられたボルトＢに対して壁つなぎ部２１を接続してガイドマストを主塔２に固定することができるため、既存の構成を利用して確実にガイドマスト２０の固定を行うことができる。
【００６０】
また、この実施の形態の移動昇降式足場１０を用いた吊橋１の主塔２の補修施工方法によれば、複数の作業用デッキ４０を用いて効率的に作業を行うことができる。
【００６１】
また、この実施の形態の移動昇降式足場１０によれば、駆動部３０と作業用デッキ４０をガイドマスト２０に対して側部から着脱するようになっているため、ガイドマスト２０を設置した後、作業用デッキ４０をその上端まで持ち上げて装着したり、ガイドマスト２０の設置途中で作業用デッキ４０を装着するような不便な状態を解消することができる。また、作業用デッキ４０を取り外して他のガイドマスト２０に装着することもできるため、作業方法のバリエーションを増やすことができ、より効率的な作業を選択することができる。
【００６２】
また、この実施の形態の移動昇降式足場１０によれば、作業用デッキ４０にガイドマスト２０が入り込む凹部４４があり、当該凹部４４を介してガイドマスト２０に駆動部３０及び作業用デッキ４０を装着することができるため、多くの面を有する部位にて安定して作業用デッキ４０を装着することができる。
【００６３】
また、この実施の形態の移動昇降式足場１０によれば、側部からの脱着用のガイドローラ４５を有していることで、ガイドマスト２０に対する作業用デッキ４０の脱着をスムーズに行うことができる。
【００６４】
また、この実施の形態の移動昇降式足場１０によれば、固定デッキ４６に対して回動する回動デッキ４７と、回動デッキ４７に対してスライド移動するスライドデッキ４８とが設けられているため、種々のデッキ状態を形成することができる。
【００６５】
また、この実施の形態の移動昇降式足場１０によれば、飛散防止養生部材５０に伸縮部５２を有していて、当該伸縮部５２で主塔２に当接及び離間するようになっているため、簡単に飛散防止養生部材５０を主塔２に取り付け、取り外しすることができる。
【００６６】
また、この実施の形態の移動昇降式足場１０によれば、伸縮部５２にマグネットＭが設けられているため、より簡単に主塔２に対して当接及び離間させることができる。
【００６７】
また、この実施の形態の移動昇降式足場１０によれば、本体部５１の一部にファスナー５５を備えていることで、強風時にファスナー５５を開けて内部空間Ｎを開放させることで、飛散防止養生部材５０全体を取り外すことなく、強風による危険防止対策を行うことができる。
【００６８】
なお、本発明の「移動昇降式足場」は、前記した実施の形態のようなものに限らず、他の構成、他の使用状況にも適用できる。
【００６９】
例えば、本発明の移動昇降式足場は、吊橋以外に斜張橋についての補修作業に用いることができ、さらに主塔以外に橋脚についての補修作業に用いることができる。
【００７０】
また、作業用デッキは、前記した実施の形態の他、駆動部に設置された固定デッキと、固定デッキに対してスライド移動するスライドデッキと、固定デッキに対して垂直方向を軸として回動する回動デッキとを有する構成となっていても良い。
【００７１】
この移動昇降式足場によれば、固定デッキに対してスライド移動するスライドデッキと回動する回動デッキとが設けられているため、種々のデッキ状態を形成することができる。
【００７２】
また、作業用デッキは、前記した２パターンの他、駆動部に設置された固定デッキと、固定デッキに対してスライド移動するスライドデッキと、スライドデッキに対して垂直方向を軸として回動する回動デッキとを有する構成となっていても良い。
【００７３】
この移動昇降式足場によれば、固定デッキに対してスライド移動するスライドデッキと、スライドデッキに対して回動する回動デッキとが設けられているため、種々のデッキ状態を形成することができる。
【００７４】
また、作業用デッキは、これら３パターンが複合的に有するような構成となっていても良い。
【符号の説明】
【００７５】
１  吊橋
２  主塔
２ａ  法面
１０  移動昇降式足場
２０  ガイドマスト
２１  壁つなぎ部
３０  駆動部
４０  作業用デッキ
４１  上段デッキ
４２  中段デッキ
４３  下段デッキ
４４  凹部
４５  ガイドローラ
４６  固定デッキ
４７  回動デッキ
４８  スライドデッキ，第２スライドデッキ
４９  第１スライドデッキ
５０  飛散防止養生部材
５１  本体部
５２  伸縮部
５５  ファスナー
Ｂ  ボルト
Ｍ  マグネット
Ｎ  内部空間
【図１】
2019196621.tif 000003
【図２】
2019196621.tif 000004
【図３】
2019196621.tif 000005
【図４】
2019196621.tif 000006
【図５】
2019196621.tif 000007
【図６】
2019196621.tif 000008
【図７】
2019196621.tif 000009
【図８】
2019196621.tif 000010
【図９】
2019196621.tif 000011
【図１０】
2019196621.tif 000012
【図１１】
2019196621.tif 000013
【図１２】
2019196621.tif 000014
【図１３】
2019196621.tif 000015
【図１４】
2019196621.tif 000016